(57)【要約】      （修正有）【課題】リテーナカラーとパンチドライバーの芯合わせを簡単な構造で高精度に行う。【解決手段】リテーナカラー３の第一環状部３ｂの第一平面部３ｃと、パンチドライバー４の第二環状部４ｃの第二平面部４ｄとがそれぞれ軸方向と直交する方向へ形成されて、第一平面部３ｃ及び第二平面部４ｄが軸方向へ当接する。さらにリング部材７によって、リテーナカラー３の第一環状部３ｂとパンチドライバー４の第二環状部４ｃを軸方向へ移動自在で且つその他の方向へ移動不能に配置させるため、リテーナカラー３の軸心とパンチドライバー４の軸心が芯合わせされるとともに、パンチヘッド５と連動してパンチドライバー４及びパンチボディ２が一体的に軸方向へ往復動した時に、リテーナカラー３の第一環状部３ｂの軸心とパンチドライバー４の第二環状部４ｃの軸心が一致した状態で保たれる。【選択図】図１
2015020210.tif 000002
【特許請求の範囲】
【請求項１】
円筒形状のパンチガイドと、
前記パンチガイドの内部に軸方向へ往復動自在に支持されてパンチ刃部を有するパンチボディと、
前記パンチガイドに設けられるリテーナカラーと、
前記リテーナカラーの内側に軸方向へ往復動自在に設けられて前記パンチボディの外面と軸方向へ調整動自在に係合するパンチドライバーと、
前記パンチドライバーに設けられるパンチヘッドと、
前記リテーナカラーと前記パンチヘッドとの間に軸方向へ変形可能に設けられる弾性部材と、
前記リテーナカラー及び前記パンチドライバーの間にそれらのいずれか一方か又は両方に対し軸方向へ移動自在で且つその他の方向へ移動不能に設けられるリング部材と、を備え、
前記リテーナカラーは、前記パンチドライバーの外面と対向する第一環状部を有し、該第一環状部には、軸方向と直交する方向へ形成される第一平面部が形成され、
前記パンチドライバーは、前記パンチガイドと径方向へ対向する第二環状部を有し、該第二環状部には、軸方向と直交する方向へ形成されて前記リテーナカラーの前記第一環状部の前記第一平面部と軸方向へ当接する第二平面部が形成され、
前記リング部材は、前記リテーナカラーの前記第一環状部と前記パンチドライバーの前記外面との間に第一環状隙間を形成するとともに、前記パンチドライバーの前記第二環状部と前記パンチガイドとの間に第二環状隙間を形成するように配置されることを特徴とするパンチ金型。
【請求項２】
前記パンチドライバーの前記外面に、前記リング部材が嵌入する環状凹溝に形成し、前記リング部材の内周端を前記環状凹溝に圧接させ、前記リング部材の外周端を前記リテーナカラーの前記第一環状部に対して軸方向へ摺動自在に当接させることを特徴とする請求項１記載のパンチ金型。
【請求項３】
前記リング部材として弾性変形可能なＯリングを用いることを特徴とする請求項２記載のパンチ金型。
【発明の詳細な説明】
【技術分野】
【０００１】
本発明は、パンチプレス機に採用するパンチ金型に関する。
【背景技術】
【０００２】
従来、この種のパンチ金型として、筒状のパンチガイド内に、下端部にパンチ刃部を備えたパンチボディを上下動自在に備え、前記パンチガイドの上部に備えたリテーナカラーを上下動自在に貫通したパンチドライバの上端部に備えたパンチヘッドと前記リテーナカラーとの間にストリッパースプリングを弾装して備え、前記パンチボディの上部に一体に又は一体的に備えた調整ネジ部材を、前記パンチドライバに備えた雌ネジ部に上下調節可能に螺合しているものがある（例えば、特許文献１参照）。
前記リテーナカラーの下部には、下広がり（下側の径が次第に大きくなる）のテーパ孔が形成され、前記パンチドライバの下部には、前記テーパ孔と係合離脱自在なテーパ部が形成されている。パンチヘッドの下降によるパンチドライバのテーパ部がリテーナカラーのテーパ孔から離脱し、その後の上昇復帰による前記テーパ部と前記テーパ孔が再び係合することにより、リテーナカラーとパンチドライバとの芯合せがその都度自動的に行われ、リテーナカラーのテーパ孔とパンチドライバのテーパ部との間の間隙（クリアランス）を零にしてより高精度の芯合せが行われている。
【先行技術文献】
【特許文献】
【０００３】
【特許文献１】特開２０１０−２４７１８６号公報
【発明の概要】
【発明が解決しようとする課題】
【０００４】
しかし乍ら、このような従来のパンチ金型では、リテーナカラーのテーパ孔とパンチドライバのテーパ部を間隙が零となるように嵌合させる必要があるため、テーパ孔及びテーパ部に精密な寸法精度が要求され、その加工及び検査に手間が必要になってコスト高になるという問題があった。
また、テーパ孔及びテーパ部に寸法精度や加工精度が僅かでも低下すると、両者の密着性が悪くなるだけでなく、両者のテーパー角度に差を生じるおそれがある。このような状況で、パンチヘッドが下降する度にテーパ孔及びテーパ部が係合離脱してリテーナカラーとパンチドライバとの芯合せが行われると、両者の芯合わせに狂いが生じて、リテーナカラーの軸線に対しパンチドライバの軸線が傾斜する可能性がある。
さらに、テーパ孔及びテーパ部の寸法精度の低下に伴って、リテーナカラーの軸線に対しパンチドライバの軸線が僅かでも傾斜してしまうと、調整ネジ部材の上下調節のためリテーナカラー及びパンチドライバを回動する時に一定幅の隙間が必要であるが、隙間が不均一になって回動に抵抗が生じて、調整操作をスムーズに行えないという問題があった。
それでも無理に、リテーナカラー及びパンチドライバを回動して、ストリッパースプリングを収縮変形又は伸長変形させると、変形移動中のストリッパースプリングがパンチドライバの外面と接触して削ってしまい、金属の削り粉が発生する可能性もある。このように発生した金属の削り粉は、異物の混入やそれによる焼付き現象の事故に発展するという問題もあった。
【０００５】
本発明は、このような問題に対処することを課題とするものであり、リテーナカラーとパンチドライバーの芯合わせを簡単な構造で高精度に行うこと、などを目的とするものである。
【課題を解決するための手段】
【０００６】
このような目的を達成するために本発明は、円筒形状のパンチガイドと、前記パンチガイドの内部に軸方向へ往復動自在に支持されてパンチ刃部を有するパンチボディと、前記パンチガイドに設けられるリテーナカラーと、前記リテーナカラーの内側に軸方向へ往復動自在に設けられて前記パンチボディの外面と軸方向へ調整動自在に係合するパンチドライバーと、前記パンチドライバーに設けられるパンチヘッドと、前記リテーナカラーと前記パンチヘッドとの間に軸方向へ変形可能に設けられる弾性部材と、前記リテーナカラー及び前記パンチドライバーの間にそれらのいずれか一方か又は両方に対し軸方向へ移動自在で且つその他の方向へ移動不能に設けられるリング部材と、を備え、前記リテーナカラーは、前記パンチドライバーの外面と対向する第一環状部を有し、該第一環状部には、軸方向と直交する方向へ形成される第一平面部が形成され、前記パンチドライバーは、前記パンチガイドと径方向へ対向する第二環状部を有し、該第二環状部には、軸方向と直交する方向へ形成されて前記リテーナカラーの前記第一環状部の前記第一平面部と軸方向へ当接する第二平面部が形成され、前記リング部材は、前記リテーナカラーの前記第一環状部と前記パンチドライバーの前記外面との間に第一環状隙間を形成するとともに、前記パンチドライバーの前記第二環状部と前記パンチガイドとの間に第二環状隙間を形成するように配置されることを特徴とする。
【発明の効果】
【０００７】
前述した特徴を有する本発明は、リテーナカラーの第一環状部の第一平面部と、パンチドライバーの第二環状部の第二平面部とがそれぞれ軸方向と直交する方向へ形成されて、第一平面部及び第二平面部が軸方向へ当接する。さらにリング部材によって、リテーナカラーの第一環状部とパンチドライバーの第二環状部を軸方向へ移動自在で且つその他の方向へ移動不能に配置させるため、リテーナカラーの軸心とパンチドライバーの軸心が芯合わせされるとともに、パンチヘッドと連動してパンチドライバー及びパンチボディが一体的に軸方向へ往復動した時に、リテーナカラーの第一環状部の軸心とパンチドライバーの第二環状部の軸心が一致した状態で保たれる。
したがって、リテーナカラーとパンチドライバーの芯合わせを簡単な構造で高精度に行うことができる。
その結果、リテーナカラーのテーパ孔とパンチドライバのテーパ部を間隙が零となるように嵌合させる必要がある従来のものに比べ、芯合わせ構造を簡素化できて且つ高い寸法精度が得られ、コストの低減化が図れる。
それに加え、リング部材によって、リテーナカラーの第一環状部とパンチドライバーの外面との間に第一環状隙間が保たれるとともに、パンチドライバーの第二環状部とパンチガイドとの間に第二環状隙間が保たれるため、リテーナカラー及びパンチドライバーの回動に抵抗が生じない。
したがって、パンチドライバーに対してパンチボディが抵抗なくスムーズに調整移動することができる。
その結果、調整ネジ部材の上下調節のためリテーナカラー及びパンチドライバを回動する時に回動に抵抗が生じる従来のものに比べ、リテーナカラー及びパンチドライバーの調整操作をスムーズに行える。
【図面の簡単な説明】
【０００８】
【図１】本発明の実施形態に係るパンチ金型の全体構成を示す説明図あり、（ａ）が全体の縦断正面図、（ｂ）が要部を部分拡大した縦断正面図である。
【図２】図１（ａ）の（２）−（２）線に沿える拡大横断平面図である。
【０００９】
以下、本発明の実施形態を図面に基づいて詳細に説明する。
本発明の実施形態に係るパンチ金型Ａは、タレットパンチプレスなどのようなパンチプレス機に装着して使用されるものである。
詳しく説明すると、パンチ金型Ａは、図１（ａ）（ｂ）及び図２に示すように、円筒形状のパンチガイド１と、パンチガイド１の内部に軸方向へ往復動自在に支持されてその先端にパンチ刃部２ａを有するパンチボディ２と、パンチガイド１に設けられるリテーナカラー３と、リテーナカラー３の内側に軸方向へ往復動自在に設けられてパンチボディ２と軸方向へ調整動自在に係合するパンチドライバー４と、パンチドライバー４の基端に一体的に設けられるパンチヘッド５と、リテーナカラー３とパンチヘッド５との間に軸方向へ伸縮変形可能に設けられるスプリングなどの弾性部材６と、リテーナカラー３とパンチドライバー４の間に設けられるリング部材７と、を主要な構成要素として備えている。
【００１０】
パンチボディ２とパンチドライバー４の係合例としては、図１（ａ）（ｂ）及び図２に示されるように、パンチボディ２の基端外面に形成される調整部２ｂと、パンチドライバー４の内面に形成される被調整部４ａを螺合させるなど、調整部２ｂと被調整部４ａを相対的に周方向へ回転操作することにより、パンチボディ２に対してパンチドライバー４が軸方向へ調整動するように構成されている。
すなわち、パンチボディ２の調整部２ｂ及びパンチドライバー４の被調整部４ａは、ネジなどで構成されている。
【００１１】
リテーナカラー３は、金属などの硬質材料でその径方向中心に後述するパンチドライバー４が軸方向へ貫通する通孔３ａを開設した略円板状に形成され、パンチガイド１の取付部１ａに対して軸方向へ移動不能で且つ周方向へは移動可能に取り付けられている。パンチガイド１の取付部１ａは、パンチガイド１においてリテーナカラー３と対向する基端にフランジ状に突出形成されている。
リテーナカラー３は、後述するパンチドライバー４の外面４ｂとの間に径方向へ第一環状隙間Ｓ１を挟んで対向する第一環状部３ｂを有している。第一環状部３ｂは、リテーナカラー３の径方向内側部分に形成される。
第一環状部３ｂの具体例としては、図１（ａ）（ｂ）及び図２に示されるように、リテーナカラー３の内側部分に、後述するパンチドライバー４の第二環状部４ｃへ向け円筒状に突出させて形成することが好ましい。
第一環状部３ｂにおいてパンチドライバー４の第二環状部４ｃと軸方向に対向する端面には、軸方向と直交する方向へ形成される第一平面部３ｃが形成されている。
さらに、パンチガイド１の取付部１ａに対するリテーナカラー３の取り付け構造の具体例としては、パンチガイド１の取付部１ａに凹部１ｂが部分的に形成され、取付部１ａの表面に沿ってリテーナカラー３をセットした後に、凹部１ｂにストッパー３ｄを径方向へ差し込み、ストッパー３ｄの内端と第一環状部３ｂの先端部位を軸方向へ係合させている。ストッパー３ｄは、リテーナカラー３の貫通孔３ｅを通ってビスなどの固着手段３ｆを取付部１ａに固着することで、パンチガイド１の取付部１ａに固定されている。それにより、パンチガイド１の取付部１ａに対してリテーナカラー３は、周方向へ回転可能で且つ軸方向へ移動不能に取り付けられている。
また、その他の例として図示しないが、第一環状部３ｂを他の形状に変更したり、パンチガイド１の取付部１ａに対するリテーナカラー３の取り付け構造を変更したり、パンチガイド１の取付部１ａに対するストッパー３ｄの固着方法を変更したりすることも可能である。
【００１２】
パンチドライバー４は、金属などの硬質材料で全体的にリテーナカラー３の通孔３ａよりも小径な外面４ｂを有する円筒状に形成され、パンチガイド１の取付部１ａとの間に径方向へ第二環状隙間Ｓ２を挟んで対向する第二環状部４ｃを有している。第二環状部４ｃは、パンチドライバー４の径方向外側部分に形成される。第二環状部４ｃの具体例としては、図１（ａ）（ｂ）及び図２に示されるように、パンチドライバー４の先端において、リテーナカラー３の通孔３ａよりも若干大径となるように径方向外側へ向け鍔状に突出して形成され、この鍔状に突出した第二環状部４ｃの外周面とパンチガイド１の取付部１ａの内周面とを径方向へ略平行に対向させることが好ましい。
第二環状部４ｃにおいてリテーナカラー３と軸方向に対向する端面には、軸方向と直交する方向へ形成されてリテーナカラー３の第一環状部３ｂの第一平面部３ｃと軸方向へ当接する第二平面部４ｄを有している。
すなわち、リテーナカラー３の第一平面部３ｃとパンチドライバー４の第二平面部４ｄは、弾性部材６の付勢力によって軸方向へ密着している。
さらに、パンチドライバー４は、リテーナカラー３と周方向へ係合して供回りするように構成されている。
パンチドライバー４とリテーナカラー３の係合例としては、図１（ａ）（ｂ）及び図２に示されるように、パンチドライバー４において第二環状部４ｃを除く基端側の外面４ｂに形成される係止部４ｅと、リテーナカラー３の通孔３ａに形成される被係止部３ｇとを凹凸嵌合させるなどして、パンチドライバー４及びリテーナカラー３が周方向へ一定化されている。図示例では、パンチドライバー４の係止部４ｅが、パンチドライバー４において第二環状部４ｃを除く基端側の外面４ｂに軸方向へ向け凹設された凹溝であり、リテーナカラー３の被係止部３ｇが通孔３ａから突出するピンである。
また、その他の例として図示しないが、第二環状部４ｃを他の形状に変更したり、パンチドライバー４とリテーナカラー３の供回り構造を変更したりすることも可能である。
【００１３】
リング部材７は、ゴムや合成樹脂などの弾性変形可能な軟質材料か、又は金属などの変形不能な硬質材料を用いて、周方向へ連続する輪状や、周方向の一部が不連続な略Ｃ字形に形成されている。つまり、リング部材７の具体例としては、弾性変形可能な軟質材料からなるＯリング、硬質材料からなるＣ型止め輪などを用いることが可能である。
さらに、リング部材７は、リテーナカラー３の第一環状部３ｂとパンチドライバー４の第二環状部４ｃとの間に、第一環状部３ｂ又は第二環状部４ｃのいずれか一方か、若しくは第一環状部３ｂ及び第二環状部４ｃの両方に対して、軸方向へ移動自在で且つその他の方向（径方向や周方向など）へ移動不能となるように取り付けられている。リング部材７は、その取り付け状態で、リテーナカラー３の第一環状部３ｂとパンチドライバー４の外面４ｂとの間に第一環状隙間Ｓ１を区画形成するとともに、パンチドライバー４の第二環状部４ｃとパンチガイド１の取付部１ａとの間に第二環状隙間Ｓ２を形成するように配置されている。
【００１４】
そして、本発明の実施形態に係るパンチ金型Ａの使用方法は、タレットパンチプレスなどのようなパンチプレス機（図示しない）に装着された状態で、図１（ａ）に二点鎖線で示されるストライカ（ラム）Ｂによってパンチヘッド５を打圧すると、弾性部材６の付勢力に抗してパンチドライバー４と共にパンチボディ２などが押動され、パンチ刃部２ａによってワーク（図示しない）に打抜き加工が行われる。
この際、リテーナカラー３が、パンチガイド１の取付部１ａに対して軸方向へ移動不能に位置決めされているため、その第一環状部３ｂに対しリング部材７を挟んでパンチドライバー４が軸方向へ移動する。
【００１５】
また、パンチボディ２におけるパンチ刃部２ａの調整は、パンチガイド１に一体的（回動不能）に取り付けられたリテーナカラー３及びパンチドライバー４に対してパンチボディ２を相対的に回動操作することで行われる。
例えばパンチボディ２に対してリテーナカラー３を周方向へ回転操作すると、パンチドライバー４との供回り構造によって、パンチドライバー４の被調整部４ａが回動し、それと係合（螺合）するパンチボディ２の調整部２ｂが軸方向へ調整移動する。
【００１６】
このような本発明の実施形態に係るパンチ金型Ａによると、リテーナカラー３の第一環状部３ｂの第一平面部３ｃと、パンチドライバー４の第二環状部４ｃの第二平面部４ｄとがそれぞれ軸方向と直交する方向へ形成され、その組み付け状態において第一平面部３ｃ及び第二平面部４ｄが軸方向へ当接する。さらにリング部材７によって、リテーナカラー３の第一環状部３ｂとパンチドライバー４の第二環状部４ｃを軸方向へ移動自在で且つその他の方向（径方向及び周方向など）へ移動不能に配置させるため、リテーナカラー３の軸心とパンチドライバー４の軸心が芯合わせされる。特に、パンチ刃部２ａによるワークの打抜き加工時に、パンチヘッド５と連動してパンチドライバー４及びパンチボディ２が一体的に軸方向へ往復動する際に、リテーナカラー３の第一環状部３ｂの軸心とパンチドライバー４の第二環状部４ｃの軸心が一致した状態で保たれる。
したがって、リテーナカラー３とパンチドライバー４の芯合わせを簡単な構造で高精度に行うことができる。
その結果、加工が容易で高い寸法精度が得られ、コストの低減化が図れる。
それに加え、リング部材７によって、リテーナカラー３の第一環状部３ｂとパンチドライバー４の外面４ｂとの間に第一環状隙間Ｓ１が保たれるとともに、パンチドライバー４の第二環状部４ｃとパンチガイド１の取付部１ａとの間に第二環状隙間Ｓ２が保たれるため、リテーナカラー３及びパンチドライバー４の回動に抵抗が生じない。
したがって、パンチドライバー４の被調整部４ａに対してパンチボディ２の調整部２ｂが抵抗なくスムーズに調整移動することができる。
その結果、リテーナカラー３及びパンチドライバー４の調整操作をスムーズに行えるとともに、部品接触による削り粉の発生も防止できて、異物混入事故や焼付き事故を確実に防止できる。
【実施例】
【００１７】
次に、本発明の一実施例を図面に基づいて説明する。
この実施例は、図１（ａ）（ｂ）及び図２に示すように、パンチドライバー４の外面４ｂにリング部材７が嵌入する環状凹溝４ｆを形成し、リング部材７の内周端７ａを環状凹溝４ｆに圧接させ、リング部材７の外周端７ｂをリテーナカラー３の第一環状部３ｂの内周面に対して軸方向へ摺動自在に当接させるものである。
詳しく説明すると、パンチドライバー４の外面４ｂにおいて、リテーナカラー３の第一環状部３ｂと径方向へ対向する部位に環状凹溝４ｆを凹状に形成している。
環状凹溝４ｆは、その軸方向へ対向する内壁面４ｇのいずれか一方又は両方を、環状凹溝４ｆの内底面から溝縁に向かって軸方向へ拡開するように傾斜させることが好ましい。
【００１８】
図１（ａ）（ｂ）及び図２に示される例では、リング部材７として、断面形状が円形状にされた弾性変形可能な軟質材料からなるＯリングを用いている。
また、その他の例として図示しないが、リング部材７として断面形状が円形状のＯリングに代え、断面形状が円形状ではなく異なる形状のＯリングや、硬質材料からなるＣ型止め輪などを用いることも可能である。
さらに、図１（ａ）（ｂ）及び図２に示される例では、環状凹溝４ｆを第二環状部４ｃと軸方向へ隣り合うように形成している。環状凹溝４ｆは、第二環状部４ｃと隣接する内壁面と反対側の内壁面４ｇを、パンチヘッド５に向かって徐々に拡径するように傾斜させている。
それに加えて、リテーナカラー３の通孔３ａの先端側、詳しくは通孔３ａにおいてパンチドライバー４の第二環状部４ｃと軸方向に隣り合う先端部にガイド面３ｈを、第二環状部４ｃへ向かって徐々に径方向へ拡開するように傾斜させて形成し、ガイド面３ｈに対してリング部材７の外周端７ｂを軸方向へ摺接自在に当接させている。
また、その他の例として図示しないが、第二環状部４ｃから軸方向へ若干離れた位置に環状凹溝４ｆを形成したり、環状凹溝４ｆの軸方向へ対向する内壁面４ｇを傾斜させることなく軸方向へ略平行に形成したり、リテーナカラー３の通孔３ａの先端側に傾斜状のガイド面３ｈを形成しないなど、変更も可能である。
なお、図中において符号８は、弾性部材６を覆うように設けられた筒状のカバーである。図示例では、パンチヘッド５にカバー８を取り付けている。
【００１９】
このような本発明の実施例に係るパンチ金型Ａによると、パンチ刃部２ａによるワークの打抜き加工時にパンチドライバー４の外面４ｂがリテーナカラー３の第一環状部３ｂに対して軸方向へ往復動する際、パンチドライバー４の外面４ｂの環状凹溝４ｆに嵌入されたリング部材７の外周端７ｂが、リテーナカラー３の第一環状部３ｂに摺接するため、リテーナカラー３の第一環状部３ｂの軸心に対してパンチドライバー４の第二環状部４ｃの軸心が一致した状態で保たれる。
したがって、リテーナカラー３とパンチドライバー４の芯合わせ構造をより安定化させることができる。
その結果、高い芯合わせ精度を低コストで得ることができるという利点がある。
【００２０】
特に、図１（ａ）（ｂ）及び図２に示される例のように、リング部材７として弾性変形可能なＯリングを用いた場合には、リング部材７の外周端７ｂをリテーナカラー３の第一環状部３ｂに対して軸方向へ摺動自在に当接させても、金属の削り粉が発生しない。
したがって、部品接触による金属の削り粉の発生も防止することができる。
その結果、収縮変形又は伸長変形した変形移動中のストリッパースプリングがパンチドライバの外面と接触して金属の削り粉が発生する従来のものに比べ、異物混入事故や焼付き事故を確実に防止できるという利点がある。
【００２１】
さらに、環状凹溝４ｆの軸方向へ対向する内壁面４ｇのいずれか一方又は両方を、環状凹溝４ｆの内底面から溝縁に向かって軸方向へ拡開するように傾斜させた場合には、環状凹溝４ｆに対してＯリングなどからなるリング部材７の着脱を容易に行うことができる。
したがって、パンチ金型Ａを簡単に組み立てることができるとともにリング部材７の着脱交換を行い易いという利点がある。
【００２２】
特に、図示例のように、リング部材７が軟質材料からなるＯリングである場合には、パンチドライバー４の環状凹溝４ｆの内底面とリテーナカラー３の第一環状部３ｂの内周面との間でリング部材７が弾性変形した際に、Ｏリングの外表面が鋭角な角部と接触しないから、Ｏリングが傷付き難く、長期に亘って使用できるという利点がある。
それに加えて、リテーナカラー３の通孔３ａの先端側に傾斜状のガイド面３ｈを形成した場合には、パンチ刃部２ａによるワークの打抜き加工直後に、弾性部材６の付勢力でパンチドライバー４の外面４ｂがリテーナカラー３の第一環状部３ｂに向けて軸方向へ復動する際、リング部材７が傾斜状のガイド面３ｈに沿って第一環状部３ｂの内周面に向けスムーズに嵌入し、位置決めされる。
したがって、パンチ刃部２ａによるワークの打抜き加工時に、リテーナカラー３の第一環状部３ｂに対してパンチドライバー４の外面４ｂを軸方向へスムーズに往復動できて、リング部材７による作動不良を防止できるという利点がある。
【００２３】
また、リング部材７として弾性変形可能な軟質材料からなるリングに代え、硬質材料からなるＣ型止め輪などを用いた場合には、摺動に伴う摩耗が減少するため、部品交換することなく長期に亘って使用でき、リング部材７の寿命が延びて経済的である。
しかし、金属などの硬質材料からなるリング部材７を用いた場合は、部品接触による金属などの削り粉が発生するおそれがある。このような問題点を解決するため、硬質材料からなるリング部材７とリテーナカラー３やパンチドライバー４との接触部位に、グリスや摺動油などを塗布することで摩擦を抑えたり、硬質材料からなるリング部材７の硬度を、それと接触するリテーナカラー３又はパンチドライバー４の硬度よりも下げたりすることで、削り粉の発生を抑制することも可能である。
【００２４】
なお、前示実施例では、パンチドライバー４の第二環状部４ｃに形成される環状凹溝４ｆにリング部材７を嵌入して、リング部材７の内周端７ａが環状凹溝４ｆに圧接されるとともに、リング部材７の外周端７ｂがリテーナカラー３の第一環状部３ｂに対し軸方向へ摺動自在に当接される場合を示したが、これに限定されず、これと逆にリテーナカラー３の第一環状部３ｂの内周面に、リング部材７が嵌入する環状凹溝に形成し、リング部材７の外周端を環状凹溝に圧接させ、リング部材７の内周端をパンチドライバー４の第二環状部４ｃの内周面に対して軸方向へ摺動自在に当接させても良い。
さらに、本発明は、前述した実施形態に限ることなく、適宜の変更を行うことにより、その他の形態でもって実施することも可能である
【符号の説明】
【００２５】
１  パンチガイド                        ２  パンチボディ
２ａ  パンチ刃部                        ３  リテーナカラー
３ｂ  第一環状部                        ３ｃ  第一平面部
４  パンチドライバー                    ４ｂ  外面
４ｃ  第二環状部                        ４ｄ  第二平面部
５  パンチヘッド                        ６  弾性部材
７  リング部材                          ７ａ  内周端
７ｂ  外周端                            Ｓ１  第一環状隙間
Ｓ２  第二環状隙間
【図１】
2015020210.tif 000003
【図２】
2015020210.tif 000004